(57)【要約】【課題】            培養水路と蛹化用床土との組み合わせによる蛍養殖施設において、効率的なスペースの利用によって蛍の養殖を可能とする構成を提供すること。【解決手段】        苔類５を育成することが可能であり、かつ湿潤状態となり得る蛹化用床土２の片側サイド、及び又は両側サイドに培養水路１を設けている蛍養殖施設において、片側サイドに培養水路１を設けている床土２の幅を３０ｃｍ〜６０ｃｍに設定し、両側サイドに培養水路１を設けている蛹化用床土２の幅を４５ｃｍ〜１２０ｃｍに設定することに基づき、効率的なスペースを採用している蛍養殖施設。【選択図】          図３
2005124464.tif 000002
【特許請求の範囲】
【請求項１】
苔類を育成することが可能であり、かつ湿潤状態となり得る蛹化用床土の片側サイド、及び又は両側サイドに培養水路を設けている蛍養殖施設において、片側サイドに培養水路を設けている蛹化用床土の幅を３０ｃｍ〜６０ｃｍに設定し、両側サイドに培養水路を設けている蛹化用床土の幅を４５ｃｍ〜１２０ｃｍに設定することに基づく蛍養殖施設。
【請求項２】
蛹化用床土を複数個設け、当該複数個の蛹化用床土の高さを一方方向側に順次変化させていることを特徴とする請求項１記載の蛍養殖施設。
【請求項３】
培養水路と蛹化用床土との組み合わせを、地上だけでなく、一段又は複数段上側に設けたことを特徴とする請求項１記載の蛍養殖施設。
【請求項４】
蛹化用床土の培養水路近辺において、培養水路の岸辺から順次５〜３０°の傾斜角度に基づいて盛り上がった形状に設定することを特徴とする請求項１記載の蛍養殖施設。
【請求項５】
水透過孔を有している導水パイプを埋設し、当該導水パイプの上部及び側部に前記透過孔から水を濾過する濾過用土砂を敷設している濾過水路を設け、当該濾過水路から培養水路、及び蛹化用床土の下部に対し、水を供給していることを特徴とする請求項１記載の蛍養殖施設。
【発明の詳細な説明】
【技術分野】
【０００１】
本発明は、卵からの孵化から成虫に至るまでの蛍の養育に司る培養水路、及び蛹化用床土を基本構成単位とする蛍養殖施設に関するものである。
【背景技術】
【０００２】
蛍は、苔類が発生し、かつ湿潤している床土において産卵し、卵から孵化した幼虫は水中に潜入し、カワニナを食用とすることによって育成し、幼虫として成長した後、水中から苔類を伝わって上陸し、地上において蛹化する。
【０００３】
このような蛍の育成経路に着目し、培養水路と苔類を育成することが可能であり、かつ湿潤している蛹化用床土との組み合わせによる蛍養殖施設が既に採用されている。
【０００４】
尚、外部からの鳥獣、更には虫による被害を防止するために、施設全体をネット、又は温室と同様の透明なカバーによって覆うことが多い。
【０００５】
前記組み合わせによる蛍養殖施設においては、蛹化用床土の片側サイド又は両側サイドに培養水路を設けているが、片側サイドに培養水路を設けている蛹化用床土の場合、及び又は両側サイドに培養水路を設けている蛹化用床土の場合の何れにおいても、どの程度の幅が適切であるかを全く考慮せずに、大抵の場合、１８０ｃｍ以上の幅とするような設計が行われている。
【０００６】
しかしながら、蛍の幼虫が育成し、苔類を伝わって蛹化用床土に上陸した後、幼虫の移動距離は、培養水路の岸から概略３０ｃｍ〜６０ｃｍに過ぎない。
【０００７】
このような上陸した幼虫の移動距離を考慮するならば、従来技術による蛍養殖施設は、無駄なスペースを用いていることにならざるを得ない。
【０００８】
しかるに、従来技術においては、効率的なスペースによって蛍を養殖することに関する具体的な構成は、これまで提唱されていない。
【０００９】
【特許文献１】特開平８−３２２４２８号公報。
【００１０】
【特許文献２】特開平２０００−１５７１０１号公報。
【００１１】
【特許文献３】特開平２００１−１７８３０６号公報。
【００１２】
【特許文献４】特開平２００２−２８１８６５号公報。
【００１３】
【特許文献５】実開平４−３０８５２号公報。
【００１４】
【特許文献６】実開平４−７４９５５号公報。
【発明の開示】
【発明が解決しようとする課題】
【００１５】
本発明は、培養水路と蛹化用床土との組み合わせによる蛍養殖施設において、効率的なスペースによる蛹化用床土の採用によって蛍の養殖を可能とする構成を提供することを課題としている。
【課題を解決するための手段】
【００１６】
前記課題を解決するため、本発明の構成は、苔類を育成することが可能であり、かつ湿潤状態となり得る蛹化用床土の片側サイド、及び又は両側サイドに培養水路を設けている蛍養殖施設において、片側サイドに培養水路を設けている蛹化用床土の幅を３０ｃｍ〜６０ｃｍに設定し、両側サイドに培養水路を設けている蛹化用床土の幅を４５ｃｍ〜１２０ｃｍに設定することに基づく蛍養殖施設からなる。
【発明の効果】
【００１７】
蛹化用床土における培養水路からの幅を必要最小限と設定することによって、極めて効率的なスペースの利用によって蛍の養殖を実現することが可能となる。
【発明を実施するための最良の形態】
【００１８】
前記解決するための手段による構成において、蛹化用床土２の片側サイド、及び又は両側サイドに培養水路１を設けることによる蛹化用床土２と培養水路１との組み合わせは、図１に示すように、蛹化用床土２の片側のみに培養水路１を設ける構成、図２に示すように、蛹化用床土２の両側のみに培養水路１を設ける構成、及び図３に示すように、蛹化用床土２の片側並びに両側の双方に培養水路１を設ける構成を包摂している。
【００１９】
実際には、図３に示すように、片側サイド及び両側サイドに設ける構成を採用することがスペースの効率的利用という点において望ましい。
【００２０】
培養水路１を片側に設ける場合に、蛹化用床土２の幅を３０ｃｍ〜６０ｃｍと設定しているのは、成長した幼虫が蛹化用床土２に上陸してから移動する距離が培養水路１から概略３０ｃｍ〜６０ｃｍ程度であることに着目し、現に上記数値範囲の幅の蛹化用床土２において、蛍の幼虫を蛹化させることが十分可能であるという実験上の確認に由来している。
【００２１】
培養水路１を片側に設ける場合に、蛹化用床土２の幅を３０ｃｍ〜６０ｃｍと設定していることから、培養水路１を両側に設ける場合には、前記片側に設ける場合の３０ｃｍ〜６０ｃｍの幅の２倍である６０ｃｍ〜１２０ｃｍの幅を設定することが妥当であるが如くにも考えられる。
【００２２】
しかしながら、片側に培養水路１を設ける場合において、６０ｃｍによる上限値の幅の領域まで幼虫が移動する頻度は比較的少なく、４５ｃｍ以下の移動距離である頻度が比較的高い。
【００２３】
このような状況に加え、両側に培養水路１を設ける場合において、蛹化用床土２の幅が４５ｃｍであっても、幼虫の蛹化は十分可能であり、６０ｃｍによる幅が必ずしも必要でないことが実験上の確認によって判明していることから、両側に培養水路１を設ける場合において、蛹化用床土２の幅の下限値を約４５ｃｍと設定している。
【００２４】
成長した蛍の幼虫が苔類５に沿って上陸し、かつ蛹化用床土２に潜土した状態にて蛹化する場合には、蛹化用床土２が湿潤状態となり得ることを必要としており、そのためには、図１、図２、図３に示すように、蛹化用床土２の地下に水を外部に排出させるための複数の透過孔４１を有している導水パイプ４を蛹化用床土２の下部に埋設し、必要に応じて水１０を供給し、当該透過孔４１を介して水１０を排出することによって、一定の湿潤状態を確保すると良い。
【００２５】
培養水路１と蛹化用床土２の地中にある前記導水パイプ４とは、共通の水源によって水１０を供給する場合が多い。
【００２６】
本発明のように、蛹化用床土２の幅を限定する場合には、蛍が蛹化した段階において、蛍の居住空間が狭いため、景観に欠けるおそれがあるが、図３に示すように、培養水路１と蛹化用床土２とを複数個設け、順次交互に配列することによって相当カバーすることができる。
【００２７】
特に、図４に示すように、複数個の培養水路１の高さを一方方向側に順次変化させることによる構成を採用した場合には、立体的に起伏した空間において蛹化した蛍が点在することになり、景観に資すると共に、傾斜地を蛍養成施設として利用することも可能となる（図４においては、導水パイプ４の図示を省略している。）。
【００２８】
就中、図４の場合のように、蛹化用床土２を前記のような高さの変化に応じて傾斜させた場合には、蛍が点在する面積が拡大することになり、更なる景観に資するという結果を得ることができる。
【００２９】
景観を度外視する場合には、図５（ａ）、（ｂ）に示すように、培養水路１と蛹化用床土２との組み合わせを、地上だけでなく、複数段上側に設けることによって、立体構造による蛍養殖施設を実現し、更に効率的なスペースの利用を実現することができる（尚、図５（ａ）、（ｂ）においては、導水パイプ４の図示を省略している。）。
【００３０】
わが国に生育する蛍の殆どは、源氏蛍及び平家蛍であって、源氏蛍の幼虫は、上陸した後、水平に潜土していく傾向を有しているのに対し、平家蛍の幼虫は、生育して蛹化用床土２に対し、垂直に潜土する傾向を有している。
【００３１】
これらの点を考慮するならば、蛹化用床土２が培養水路１の岸辺と同一高さであることは好ましくなく、当該岸辺からやや盛り上がった形状であることが必要であるが、実際には、岸辺から５〜３０°の傾斜角度を以って盛り上げることが好ましい（尚、３０°以上の傾斜の場合には、培養水路１の近辺において、蛹化用床土２が崩壊する危険性がある。）。
【００３２】
以下、実施例に従って説明する。
【実施例】
【００３３】
実施例においては、図６に示すように、水透過孔４１を有している導水パイプ４を埋設し、当該導水パイプ４の上部及び側部に前記透過孔４１から水１０を濾過する濾過用土砂３１を敷設している濾過用水路３を設け、当該濾過用水路３から培養水路１、及び蛹化用床土２の下部に対し、水１０を供給していることを特徴としている。
【００３４】
前記濾過用水路３は、図７（ａ）に示すように、水１０を外部から供給し、かつ外部に排出しながら、培養水路１及び蛹化用床土２との間を循環する場合と、図７（ｂ）に示すように、水１０を外部から供給せず、かつ外部に排出せずに培養水路１及び蛹化用床土２との間を循環する場合との双方が存在し得るが（但し、水の浄化を考慮するならば、図７（ａ）のような実施形態の方が好ましい。）。
【００３５】
何れにせよ、濾過用水路３から培養水路１及び蛹化用床土２に水１０が供給されることによって培養水路１及び蛹化用床土２に対する害虫及び汚泥の侵入を防止することが可能となる。
【産業上の利用可能性】
【００３６】
本発明は、蛍の養殖分野において利用することができる。
【図面の簡単な説明】
【００３７】
【図１】蛹化用床土の片側のみに培養水路を設けることによる構成単位を示す断面図である。
【図２】蛹化用床土の両側のみに培養水路を設けることによる構成単位を示す断面図である。
【図３】蛹化用床土の片側及び両側に培養水路を設ける構成単位を示す断面図である。
【図４】培養水路の高さを一方方向側に順次変化させ、かつ蛹化用床土を傾斜させた実施態様を示す断面図である。
【図５】培養水路と蛹化用床土との組み合わせを、地上だけでなく、複数段上側に設けたことによる実施態様を示す断面図であり、（ａ）は片側に培養水路を設けた場合を示しており、（ｂ）は両側に培養水路を設けた場合を示している。
【図６】実施例の構成を示す断面図である。
【図７】実施例において、濾過水路と培養水路との関係を示す平面図であり、（ａ）は濾過水路において水を外部から供給し、かつ外部に排出しながら、培養水路及び蛹化用床土との間を循環する実施形態を示しており、（ｂ）は水を外部から供給せず、かつ外部に排出せずに、培養水路及び蛹化用床土との間を循環する実施形態を示している。
【符号の説明】
【００３８】
１  培養水路
１０  水
２  蛹化用床土
３  濾過用水路
３１  濾過用土砂
４  導水パイプ
４１  透過孔
５  苔
６  ポンプ
【図１】
2005124464.tif 000003
【図２】
2005124464.tif 000004
【図３】
2005124464.tif 000005
【図４】
2005124464.tif 000006
【図５】
2005124464.tif 000007
【図６】
2005124464.tif 000008
【図７】
2005124464.tif 000009